(57)【要約】【課題】  記録媒体の装填不良を抑制するとともに、振動による不具合を防止する。【解決手段】  記録媒体（５）の装填が可能な媒体使用装置であって、記録媒体の装填を受けてこれを保持する被装填部材（２０）と、被装填部材における特定方向（Ｘ方向）の部分および該特定方向以外の方向の部分と装置本体との間にそれぞれ配置された、弾性を有する第１および第２の制振部材（２１と、２２、２３）とを有し、第１の制振部材の振動減衰率が、第２の制振部材の振動減衰率よりも低い。【選択図】  図２
2005174476.tif 000002
【特許請求の範囲】
【請求項１】
記録媒体の装填が可能な媒体使用装置であって、
前記記録媒体の装填を受けてこれを保持する被装填部材と、
前記被装填部材における特定方向の部分および該特定方向以外の方向の部分と装置本体との間にそれぞれ配置された、弾性を有する第１および第２の制振部材とを有し、
前記第１の制振部材の振動減衰率が、前記第２の制振部材の振動減衰率よりも低いことを特徴とする媒体使用装置。
【請求項２】
前記第１の制振部材の弾性定数が、前記第２の制振部材の弾性定数よりも高いことを特徴とする請求項１に記載の媒体使用装置。
【請求項３】
前記特定方向が、前記被装填部材に対する前記記録媒体の装填方向であることを特徴とする請求項１に記載の媒体使用装置。
【請求項４】
前記被装填部材に設けられ、前記記録媒体の前記被装填部材からの排出機構を動作させるために操作される操作部材を有し、
前記特定方向が、前記操作部材の操作方向であることを特徴とする請求項１から３のいずれか１つに記載の媒体使用装置。
【請求項５】
記録媒体の装填が可能な媒体使用装置であって、
前記記録媒体の装填を受けてこれを保持する被装填部材と、
前記被装填部材と装置本体との間に配置された、弾性を有する制振部材と、
前記被装填部材における装填口を開閉するカバー部材と、
前記制振部材の弾性変形による前記被装填部材の前記装置本体に対する移動を阻止するロック状態と該移動を許容する非ロック状態とに切りかわるロック機構とを有し、
前記ロック機構は、前記カバー部材が開いているときにのみ前記ロック状態になることを特徴とする媒体使用装置。
【請求項６】
前記カバー部材の開閉を検出する検出手段と、
前記検出手段により前記カバー部材が開いていることが検出されたときにのみ前記ロック機構を前記ロック状態に切り換え動作させる制御手段とを有することを特徴とする請求項５に記載の媒体使用装置。
【請求項７】
前記記録媒体の種類を判別する判別手段を有し、
前記制御手段は、前記判別手段により前記記録媒体が特定種類の記録媒体と判別されたときにのみ、前記カバー部材が閉じていることに応じて前記ロック機構を前記非ロック状態に切り換え動作させることを特徴とする請求項６に記載の媒体使用装置。
【請求項８】
前記特定種類の記録媒体が、ハードディスクであることを特徴とする請求項７に記載の媒体使用装置。
【請求項９】
請求項１から８のいずれか１つに記載の媒体使用装置であり、撮像素子を用いて画像データを得て、該画像データを前記記録媒体に記録することを特徴とする撮像装置。
【発明の詳細な説明】
【技術分野】
【０００１】
本発明は、装置に加わる振動により記録媒体に対するデータの書き込みおよび読み出し時の障害等を未然に防止することができる媒体使用装置および撮像装置に関するものである。
【背景技術】
【０００２】
従来、各種のデータを記録するための記録装置として、高速に回転するディスクの表面近傍に対して、データの読み取り／書き込み用の磁気ヘッドを移動させて、ディスクからデータを読み出したり、ディスクにデータを書き込んだりする磁気ディスク型の記録装置（例えば、ハードディスク）が知られている。
【０００３】
この記録装置は、構造上振動・衝撃に弱く、データの読み取り／書き込み中に振動・衝撃が発生すると磁気ヘッドがディスク表面に接触してディスクに記録されているデータを破損したり、ディスク表面を傷つけたり、あるいは磁気ヘッド自体が破損するなど、記録装置を破損させてしまうおそれがある。
【０００４】
このため、上述したディスクと磁気ヘッドを利用した記録装置を、振動が発生しうる場所で使用する場合には、外部からの振動によってデータの再生および記録に支障が生じないように、ディスクなどの高密度記録媒体の再生や記録を行う時には、再生ヘッドをばねやダンパなどで浮かして（ディスクから離して）フローティング状態にすることにより、外部の振動等から保護するものがある（例えば、特許文献１参照）。また、振動を吸収する振動吸収部材を介して記録装置を支持するものがある。
【特許文献１】特開２００１−３４４８６８号公報（段落番号００４４、第１図等）
【発明の開示】
【発明が解決しようとする課題】
【０００５】
しかしながら、撮像装置に使用されるハードディスクタイプの記録媒体では、記録媒体自体に磁気ヘッドが設けられているため、従来例のように再生ヘッドをばねやダンパなどで浮かしてフローティング状態にする構成はできない。
【０００６】
また、振動吸収部材を介して記録装置を支持する構成においては、記録装置が振動吸収部材によって変位可能な状態であり、不安定な状態となっているため、記録媒体を装填する際に装填不良が発生するといった問題がある。
【０００７】
本発明は、上述する問題を解決するためになされたものであり、記録媒体の装填性を損なうことなく、振動に起因する故障を防止することのできる媒体使用装置および撮像装置を提供することを目的とする。
【課題を解決するための手段】
【０００８】
本願第１の発明は、記録媒体の装填が可能な媒体使用装置であって、記録媒体の装填を受けてこれを保持する被装填部材と、被装填部材における特定方向の部分および該特定方向以外の方向の部分と装置本体との間にそれぞれ配置された、弾性を有する第１および第２の制振部材とを有し、第１の制振部材の振動減衰率が、第２の制振部材の振動減衰率よりも低いことを特徴とする。
【０００９】
本願第２の発明は、記録媒体の装填が可能な媒体使用装置であって、記録媒体の装填を受けてこれを保持する被装填部材と、被装填部材と装置本体との間に配置された、弾性を有する制振部材と、被装填部材における装填口を開閉するカバー部材と、制振部材の弾性変形による被装填部材の装置本体に対する移動を阻止するロック状態と該移動を許容する非ロック状態とに切りかわるロック機構とを有し、ロック機構は、カバー部材が開いているときにのみロック状態になることを特徴とする。
【００１０】
本発明の媒体使用装置は、撮像素子を用いて画像データを得て、該画像データを記録媒体に記録する撮像装置に用いることができる。
【発明の効果】
【００１１】
本願第１の発明によれば、第１の制振部材の振動減衰率を第２の制振部材の振動減衰率よりも低くすること、例えば、第１の制振部材の弾性定数を第２の制振部材の弾性定数よりも高くすることで、被装填部材の特定方向における変位を抑制することができる。
【００１２】
そして、上記の特定方向を、被装填部材に対する記録媒体の装填方向とすることで、記録媒体装填時における被装填部材の変位を抑制して、記録媒体の装填不良を防止することができる。
【００１３】
また、上記の特定方向を、被装填部材に設けられ、記録媒体の被装填部材からの排出機構を動作させるために操作される操作部材の操作方向とすることで、操作部材の操作時における被装填部材の変位を抑制することができる。
【００１４】
本願第２の発明によれば、カバー部材が開いているときにのみ、すなわち、記録媒体を装填可能な状態において、被装填部材をロック状態とすることにより、記録媒体装填時における被装填部材の変位を抑制して、記録媒体の装填不良を防止することができる。
【００１５】
ここで、カバー部材の開閉を検出する検出手段と、検出手段によりカバー部材が開いていることが検出されたときにのみロック機構をロック状態に切り換え動作させる制御手段を設けることで、ロック機構におけるロック状態および非ロック状態の切り換えを自動で行うことができ、媒体使用装置の使い勝手を向上させることができる。
【００１６】
記録媒体の種類を判別する判別手段を設け、判別手段により記録媒体が特定種類の記録媒体と判別されたときにのみ、カバー部材が閉じていることに応じてロック機構を非ロック状態に切り換えることにより、特定種類の記録媒体が装填された被装填部材が、外部からの振動によって変位するのを制振部材によって抑制することができる。
【００１７】
ここで、特定種類の記録媒体がハードディスクである場合には、制振部材によって装置に加わる振動を吸収することで、該振動によってハードディスクと、このハードディスクに対してデータを読み出し／記録可能なヘッドとが接触するのを防止することができる。
【発明を実施するための最良の形態】
【００１８】
以下、本発明の実施例について説明する。
【実施例１】
【００１９】
図１は、本発明の実施例１であるカメラ（撮像装置）において、記録媒体の装填及び取り出し操作を示す説明図、図２は、本実施例のカメラにおける記録媒体収納室の支持構造を示す説明図、図３は、本実施例のカメラにおける要部構成を示すブロック図、図４は、本実施例のカメラにおける撮影シーケンスを示すフローチャートである。
【００２０】
図１において、１はカメラ本体（図中ではこの一部を示す）であり、この内部には、後述する記録媒体５を収納する記録媒体収納室が設けられている。２は、カメラ本体１に回動可能に支持されたスロットカバー（カバー部材）であり、記録媒体収納室の開口部を開閉する。
【００２１】
３は、記録媒体５が装填されるカードスロットであり、カメラ本体１内に設けられている。４は記録媒体収納室内に装填された記録媒体５を取り外すために操作されるイジェクトボタンであり、５はカメラで撮影された画像が記録される記録媒体としての記録媒体である。
【００２２】
次に、図１（ａ）から（ｄ）を用いて、記録媒体５のカメラ本体１内への装填及び取り出し動作について説明する。
【００２３】
図１（ａ）は、スロットカバー２の開き動作を説明する図であり、スロットカバー２を矢印Ａ方向にスライドさせてから矢印Ｂ方向に回転させると、記録媒体収納室の開口部を開くことができ、これにより、図１（ａ−１）に示すように、カードスロット３が露出される。
【００２４】
図１（ｂ）は、記録媒体５のカメラ本体１内への装填動作を説明する図であり、記録媒体５をカードスロット３に挿入し、記録媒体収納室の端面（不図示）に突き当たるまで記録媒体５を矢印Ｃ方向に押し込むことで、記録媒体５がカメラ本体１内に装填することができる。
【００２５】
図１（ｃ）は、開き状態にあるスロットカバー２を閉じ状態にさせるときの動作について説明する図であり、スロットカバー２を矢印Ｄ方向（矢印Ｂ方向とは反対方向）に回転させてから矢印Ｅ方向（矢印Ａ方向とは反対側）にスライドさせる、つまり図１（ａ）で説明した操作とは逆の操作を行うことでスロットカバー２を閉じ状態とすることができる。この状態で、後述の撮影動作を行なうことにより、撮影動作によって生成された画像データが記録媒体５に記録される。
【００２６】
図１（ｄ）は、記録媒体５の取り出し動作について説明する図であり、図１（ａ）の操作と同様の操作を行うことでスロットカバー２を開き状態としてから、イジェクトボタン４を矢印Ｆ方向に押し込むと、記録媒体５がカメラ本体１内（記録媒体収納室）から矢印Ｅ方向に押し出される。これにより、記録媒体５をカメラ本体１から取り外すことができる。
【００２７】
図２において、図２（ａ）は記録媒体収納室の周辺における構造をカメラ本体１の上方から見たときの図であり、図２（ｂ）は記録媒体収納室の周辺における構造をカメラ本体１の正面から見たときの図であり、図２（ｃ）は記録媒体収納室の周辺における構造を、記録媒体５の装填方向から見たときの図である。
【００２８】
同図において、２０は記録媒体５を収納する記録媒体収納室（被装填部材）であり、後述する防振部材２１〜２３によって支持されている。また、図２（ｃ）では、ハードディスクタイプの記録媒体５が、記録媒体収納室２０内に装填されたときの状態を示している。ここで、記録媒体５内には、ディスク５ａと、このディスク５ａに対してデータを記録したり、読み出したりすることができる磁気ヘッド５ｂが設けられている。
【００２９】
２１、２２、２３はそれぞれ、カメラ本体１から記録媒体収納室２０を浮遊支持するための第１から第３の防振部材であり、カメラ本体１の壁面と記録媒体収納室２０との間に形成されたスペース内に配置されている。
【００３０】
第１の防振部材（第１の制振部材）２１は、図２中の矢印Ｘ方向（記録媒体５の装填方向）における記録媒体収納室２０の振動を吸収するための部材である。第２の防振部材（第２の制振部材）２２は、図２中の矢印Ｙ方向（カメラ本体１の上下方向）における記録媒体収納室２０の振動を吸収するための部材である。第３の防振部材（第２の制振部材）２３は、図２中の矢印Ｚ方向（磁気ヘッド１０の記録媒体５に対する接触方向）における記録媒体収納室２０の振動を吸収するための部材である。
【００３１】
防振部材２１〜２３としては、具体的には、弾性を有するゴムやバネ等を用いることができる。そして、各防振部材２１〜２３の振動減衰率（対数減衰率）は、下記（１）式となっている。
【００３２】
第１の防振部材２１≦第２の防振部材２２＜第３の防振部材２３  ・・・（１）
すなわち、各防振部材２１〜２３の弾性定数を、「第３の防振部材＜第２の防振部材≦第１の防振部材」とすることで、第１の防振部材２１、第２の防振部材２２、第３の防振部材２３の順に、防振効果（振動吸収効果）が大きくなるように構成している。ここで、記録媒体の装填性を損なわないために、第１の防振部材２１は、他の防振部材２２、２３よりも防振効果を低くするか、第１の防振部材２１と第２の防振部材２を防振効果（振動吸収効果）が同じ部材とする必要がある。
【００３３】
なお、本実施例では、各防振部材２１〜２３を、各々１つの部材で構成しているが、複数の部材で構成して、振動減衰率を適宜変更するようにしてもよい。
【００３４】
図３において、１１はカメラ全体の動作を制御するＣＰＵ（制御手段）、１２は撮影レンズ、１３はＣＰＵ１１の出力に基づいて撮影レンズ１２を駆動するレンズ駆動装置である。１４は像面に入射する光量を制限するシャッター、１５はＣＰＵ１１の出力に基づいてシャッター１４を開閉動作させるシャッター駆動機構である。このシャッター駆動機構１５は、駆動源となるモータと、このモータからの動力をシャッター１４に伝達する動力伝達機構等を有している。
【００３５】
１６はＣＣＤやＣＭＯＳセンサ等の光電変換素子であり、撮影レンズ１２によって形成された被写体像（光学像）を光電変換によって画像信号に変換する。１７は画像処理回路であり、光電変換素子１６から出力された画像信号に様々な処理を行い、画像データに変換する。
【００３６】
１８は記憶回路であり、画像処理回路１７から出力された画像データを一時的に記憶する。そして、記憶回路１８に記憶された画像データは、記録媒体収納室２０内に収納された記録媒体５に対して転送されて、記録される。
【００３７】
２６は撮影準備動作（焦点調節動作や測光動作等）を開始するために操作されるスイッチ（ＳＷ１）であり、２７は撮影動作（画像データの生成および該画像データの記録媒体への記録）を開始させるために操作されるスイッチ（ＳＷ２）である。２８はカメラ本体の電源のオン／オフ状態を切り換えるためのメイン電源スイッチ（ＳＷ３）である。
【００３８】
２４は液晶ディスプレイ等からなる表示部であり、ＣＰＵ１１の出力に基づいて撮影画像及びカメラにおいて設定された様々な情報（例えば、露出値等の撮影情報）を表示するようになっている。２５は撮影モードや撮影条件の設定値を変更するために操作される設定スイッチである。
【００３９】
３２は撮影光学系の焦点調節状態を検出するための焦点検出部である。ＣＰＵ１１は、焦点検出部３２の出力に基づいてレンズ駆動装置１３を介して撮影レンズ１２（フォーカスレンズ）を駆動することにより、撮影光学系を合焦状態とする。
【００４０】
次に、本実施例のカメラにおいて、記録媒体を装填してから撮影動作を完了するまでの動作について、図４のフローチャートを用いて説明する。
【００４１】
図４のステップＳ１０１にてスロットカバー２を開き、ステップＳ１０２にて記録媒体５を記録媒体収納室２０に装填してから、ステップＳ１０３でスロットカバー２を閉じることにより、記録媒体５のカメラ本体１内への装填が完了する。
【００４２】
ステップＳ１０４において、ＣＰＵ１１は、スイッチ（ＳＷ１）２６がオン状態となるまで待機し、オン状態になった時点でステップＳ１０５に進む。
【００４３】
ステップＳ１０５では、焦点検出部２９の出力に基づいて撮影光学系の焦点調節状態を判別する、すなわち、撮影光学系が合焦状態にあるか否かを判別する。ここで、撮影光学系が合焦状態でなければ、ステップＳ１０６において、レンズ駆動装置１３を介して撮影レンズ１２（フォーカスレンズ）を駆動することにより撮影光学系を合焦状態とする。一方、撮影光学系が合焦状態であれば、ステップＳ１０７に進む。なお、撮影光学系の合焦動作を行うときに、ＣＰＵ１１は、被写体輝度の測定（測光）によって露出値（シャッタ速度や絞り値等）の演算も行う。
【００４４】
ステップＳ１０７では、スイッチ（ＳＷ２）２７がオン状態となるまで待機し、オン状態となったときにはステップＳ１０８に進む。ステップＳ１０８では、シャッター駆動機構１５を介して閉じ状態にあるシャッター１４を開き駆動させる。これにより、光電変換素子１６への露光が開始される。
【００４５】
ステップＳ１０９では、光電変換素子１６において、撮影レンズ１２で結像された被写体像を画像信号に変換され、画像の取り込みが行われる。ステップＳ１１０では、所定時間経過後に、シャッター駆動機構１５を介してシャッター１４を閉じ動作させる。
【００４６】
次いで、ステップＳ１１１では、画像処理回路１７において、光電変換素子１６から読み出された画像信号に対する様々な処理を行い、画像データに変換する画像処理を行う。そして、この画像データを記憶回路１８に記憶させる。
【００４７】
ステップＳ１１２では、記憶回路１８にて記憶した画像データを記録媒体５に記録する。ステップＳ１１３では、画像データを映像信号に変換してから表示部２４で撮影画像の表示を行う。
【００４８】
本実施例において、記録媒体５の装填方向における記録媒体収納室２０の振動は、第１の防振部材２１によって吸収されるようになっており、この第１の防振部材２１の振動減衰率は、上述したように第２および第３の防振部材２２、２３の振動減衰率よりも低く設定されている。このため、記録媒体５の装填時に記録媒体収納室２０が装填方向に大きく変位することはなく、記録媒体５の不安定な装填を防止することができる。
【００４９】
また、磁気ヘッド１０の接触方向における記録媒体収納室２０の振動は、第３の防振部材２３によって吸収されるようになっており、この第３の防振部材２３の振動減衰率は、上述したように第１および第２の防振部材２１、２２の振動減衰率よりも高く設定されている。このため、磁気ヘッド１０の接触方向に振動が加わっても、最も振動吸収効果のある第３の防振部材２３によって振動が吸収されるため、この振動によって磁気ヘッド１０および記録媒体５が接触するのを防止することができる。これにより、磁気ヘッドおよび記録媒体の接触に起因する故障を防止することができる（図２（ｃ）参照）。
【００５０】
ここで、第２の防振部材２２の振動減衰率を、第３の防振部材２３の振動減衰率よりも小さくすることで、記録媒体５の装填時に、記録媒体収納室２０がカメラ本体上下方向（図２（ｂ）の上下方向）に変位するのを抑制でき、記録媒体５の不安定な装填を防止することができる。
【００５１】
なお、本実施例では、カメラ本体１内に、記録媒体５を収納する記録媒体収納室２０を設けた場合について説明したが、本発明は、記録媒体５を収納し、画像データの読み出し／記録を行う装置であって、カメラ本体とは別に設けられた装置（媒体使用装置）にも適用することができる。
【実施例２】
【００５２】
本発明の実施例２であるカメラ（撮像装置）について、図５から図７を用いて説明する。
【００５３】
図５は、本実施例のカメラにおける要部構成を示すブロック図、図６は、本実施例のカメラにおいて、記録媒体装填から撮影シーケンスに至るまでのフローチャート、図７は、本実施例のカメラにおけるロック機構の動作を示す説明図である。なお、本実施例において、実施例１で説明した部材と同じ部材については同一符号を付して説明を省略する。
【００５４】
図５において、２９はスロットカバー２の開閉状態を検知するための開閉検知部（検出手段）、３０は記録媒体５の種類（具体的には、ハードディスク等）を判別するための記録媒体判別部（判別手段）、３１は記録媒体収納室２０を機械的に固定するロック機構である。
【００５５】
次に、本実施例のカメラにおけるロック機構の動作について、図６および図７を用いて説明する。
【００５６】
図６のステップＳ２０１において、ＣＰＵ１１は、開閉検知部２９の出力に基づいてスロットカバー２の開閉状態を判別する。ここで、スロットカバー２が開き状態にあるときには、ステップＳ２０２に進む。
【００５７】
ステップＳ２０２で、開閉検知部２９からＣＰＵ１１にスロットカバー２が開状態であることを示す信号が入力されると、ＣＰＵ１１は、ロック機構３１の駆動制御を行うことによって記録媒体収納室２０をロック状態とする。
【００５８】
すなわち、図７に示すようにロック機構３１に設けられたロックピン４１、４２を、図７（ｃ）に示す位置（ロック状態）から図７（ａ）に示す位置まで移動させて、記録媒体収納室２０に設けられたロックピン挿入孔部２０ａ、２０ｂに挿入させることによって、記録媒体収納室２０をロック状態とする。
【００５９】
ここで、ロックピン４１およびロックピン挿入孔部２０ａの係合作用によって、図７中の矢印Ｘ方向（記録媒体５の装填方向）における記録媒体収納室２０の変位を防止することができるとともに、ロックピン４２およびロックピン挿入孔部２０ｂの係合作用によって、図７中の矢印Ｙ方向における記録媒体収納室２０の変位を防止することができる。
そして、記録媒体収納室２０がロック状態にあるときに、記録媒体５を装填することができる。
【００６０】
ステップＳ２０３において、ＣＰＵ１１は、開閉検知部２９の出力に基づいてスロットカバー２が閉じ状態にあるか否かを判別する。ここで、スロットカバー２が閉じ状態にあるときには、ステップＳ２０４に進む。
【００６１】
スロットカバー２が閉状態であることを示す信号がＣＰＵ１１に入力されると、ステップＳ２０４において、ＣＰＵ１１は、記録媒体判別部３０の出力に基づいて記録媒体収納室２０内に収納された記録媒体５の種類に関する情報を取得する。
【００６２】
そして、ステップＳ２０５において、記録媒体収納室２０内に収納された記録媒体５がハードディスクであるか否かの判別を行う。ここで、収納された記録媒体５がハードディスクである場合にはステップＳ２０６に進み、ハードディスクでない場合には図３のステップＳ１０４に進む。
【００６３】
ステップＳ２０６において、ＣＰＵ１１は、ロック機構３１の駆動制御を行うことによって、記録媒体収納室２０のロック状態を解除する。
【００６４】
すなわち、ロック機構３１におけるロックピン４１、４２を、記録媒体収納室２０におけるロックピン挿入孔部２０ａ、２０ｂから退避させることにより、記録媒体収納室２０を図７（ｂ）に示す状態（ロック状態）から図７（ｃ）に示す状態（ロック解除状態）とする。
【００６５】
ここで、ロック解除状態にあるとき、記録媒体収納室２０は、防振部材３２（制振部材、実施例１における第３の防振部材２３に相当する）によって支持されるようになっている。この防振部材３２の振動減衰率は、所定の振動減衰率よりも大きくなるように設定されており、磁気ヘッドおよび記録媒体５（ディスク）の接触を生じさせる振動を吸収できるようになっている。
【００６６】
そして、記録媒体収納室２０のロック解除動作を完了させた後は、図３のステップＳ１０４へ進んで、撮影動作を行う。
【００６７】
本実施例によれば、スロットカバー２が開き状態にあるとき、すなわち、記録媒体５を記録媒体収納室２０に装填可能な状態にあるときには、ロック機構３１によって記録媒体収納室２０を固定することで、記録媒体５の装填が不安定になることを防止することができる。すなわち、本実施例では、上述したように外部からの振動を吸収するために、記録媒体収納室２０を防振部材３２によって支持しているが、この支持構造のままでは記録媒体５の装填時に記録媒体収納室２０が変位してしまう（不安定となってしまう）。そこで、記録媒体５の装填時には、ロック機構３１によって記録媒体収納室２０をロックすることで、記録媒体５の装填が不安定になるのを防止している。
【００６８】
しかも、装填された記録媒体５がハードディスクであるときであって、この記録媒体５が記録媒体収納室２０内に収納されているとき（スロットカバー２が閉じ状態にあるとき）には、記録媒体収納室２０をロック解除状態とし、防振部材３２によって接触方向（図２（ｃ）参照）の振動によって磁気ヘッドおよび記録媒体５（ディスク）が接触するのを防止することができる。
【００６９】
なお、本実施例では、ＣＰＵ１１によるロック機構３１の駆動制御によって記録媒体収納室２０のロックおよびロック解除を行っているが、スロットカバー２およびロック機構３１とを連動させるメカ的な機構を設け、スロットカバー２の開閉動作に応じてロック機構３１によるロック動作およびロック解除動作を行わせるようにしてもよい。例えば、記録媒体収納室２０にハードディスクだけを装填するタイプのカメラにおいては、スロットカバー２の開閉動作だけで記録媒体収納室のロックおよびロック解除を行うことができ、上述した装填不良や、振動による磁気ヘッドおよびディスクの接触を防止することができる。
【図面の簡単な説明】
【００７０】
【図１】本発明の実施例１のカメラにおける記録媒体の装填および取り出し操作を説明する図。
【図２】実施例１のカメラにおける記録媒体収納室の構造を示す図。
【図３】実施例１のカメラの要部構成を示すブロック図。
【図４】実施例１のカメラにおける撮影動作を示すフローチャート。
【図５】本発明の実施例２であるカメラにおける要部構成を示すブロック図。
【図６】実施例２において、記録媒体の装填から撮影動作完了に至るまでの動作を示すフローチャート。
【図７】実施例２のカメラにおけるロック機構の動作を説明する図。
【符号の説明】
【００７１】
１      カメラ本体
２      スロットカバー
３      カードスロット
４      イジェクトボタン
５      記録媒体
１１    ＣＰＵ
１６    光電変換素子
１７    画像処理回路
１８    記憶回路
２０    記録媒体収納室
２１    第１の防振部材
２２    第２の防振部材
２３    第３の防振部材
２６    ＳＷ１
２７    ＳＷ２
２８    ＳＷ３
２９    開閉検知部
３０    記録媒体判別部
３１    ロック機構
【図１】
2005174476.tif 000003
【図２】
2005174476.tif 000004
【図３】
2005174476.tif 000005
【図４】
2005174476.tif 000006
【図５】
2005174476.tif 000007
【図６】
2005174476.tif 000008
【図７】
2005174476.tif 000009